(57)【要約】      （修正有）【課題】データアクセス、伝送及び電源管理機能を有する統合電子装置及びその方法を提供する。【解決手段】第１コントローラ、第２コントローラ及び切替器によって、第１周辺機器と第２周辺機器との間のデータアクセス、データ伝送及び電源管理を制御して、統合電子装置１０１の第１通信インターフェース及び第２通信インターフェースを効果的に統合し、統合電子装置のデータアクセスの利便性を高め、統合電子装置の使用の柔軟性を向上させ、統合電子装置を携帯用記憶装置、伝送線及び移動式電源として機能させる。【選択図】図４
2020191072.tif 000002
【特許請求の範囲】
【請求項１】
データアクセス、伝送及び電源管理機能を有する統合電子装置であって、
データの内容を記憶するための記憶手段と、
電力を供給するための電源モジュールと、
第１周辺機器が接続されたか否かを検出して、前記記憶手段及び前記電源モジュールの前記第１周辺機器に対する通信連結を決定するための第１通信インターフェースと、
第２周辺機器が接続されたか否かを検出して、前記記憶手段及び前記電源モジュールの前記第２周辺機器に対する通信連結を決定するための第２通信インターフェースと、
前記記憶手段、前記第１通信インターフェース及び前記第２通信インターフェースと結合して、前記記憶手段、前記第１通信インターフェース及び前記第２通信インターフェースの３者間の連結状態を切り替えるための切替器と、
前記記憶手段、前記第１通信インターフェース、前記第２通信インターフェース及び前記切替器と結合して、前記切替器が前記記憶手段、前記第１通信インターフェース及び前記第２通信インターフェースの３者間の切替を実行するように制御するための第１コントローラと、
前記電源モジュール、前記第１通信インターフェース、前記第２通信インターフェース及び前記切替器と結合する第２コントローラと、を備え、
前記第１コントローラは、前記第１周辺機器が第１プロトコルに従って対応する前記記憶手段の第１データをアクセスするように制御することと、前記第２周辺機器が第２プロトコルに従って対応する前記記憶手段の前記第１データをアクセスするように制御することとの少なくとも一方を行い、
前記第２コントローラは、前記第１周辺機器が前記電源モジュールを充電するように制御することと、前記電源モジュールが前記電力を前記第２周辺機器に供給するように制御することとの少なくとも一方を行う
データアクセス、伝送及び電源管理機能を有する統合電子装置。
【請求項２】
前記第１周辺機器が前記第１通信インターフェースに接続されると、前記第１コントローラは、前記記憶手段が前記第１通信インターフェースに接続されて、前記第１周辺機器が前記第１プロトコルに従って前記記憶手段の前記第１データを読み書きするように前記切替器を制御し、前記第２コントローラは、前記第１通信インターフェースを制御して前記第１周辺機器が前記電源モジュールを充電するようにする請求項１に記載のデータアクセス、伝送及び電源管理機能を有する統合電子装置。
【請求項３】
前記第１周辺機器は、ホストモードにあり、前記統合電子装置は、デバイスモードにある請求項２に記載のデータアクセス、伝送及び電源管理機能を有する統合電子装置。
【請求項４】
前記第２周辺機器が前記第２通信インターフェースに接続されると、前記第１コントローラは、前記記憶手段が前記第２通信インターフェースに接続されて、前記第２周辺機器が前記第２プロトコルに従って前記記憶手段の前記第１データを読み書きするように前記切替器を制御し、前記第２コントローラは、前記第２通信インターフェースを制御して前記電源モジュールが前記電力を前記第２周辺機器に供給するようにする請求項１に記載のデータアクセス、伝送及び電源管理機能を有する統合電子装置。
【請求項５】
前記電源モジュールが前記電力を前記第２周辺機器に供給して充電する時、前記統合電子装置はホストモードにあり、前記第２周辺機器はデバイスモードにあり、前記第２周辺機器が前記第１データを読み書きする時、前記統合電子装置はデバイスモードにあり、前記第２周辺機器はホストモードにある請求項４に記載のデータアクセス、伝送及び電源管理機能を有する統合電子装置。
【請求項６】
前記第１周辺機器が前記第１通信インターフェースに接続され、前記第２周辺機器が前記第２通信インターフェースに接続されると、前記第２コントローラは、前記第１通信インターフェースが前記第２通信インターフェースに接続されて、前記第１周辺機器が前記第２プロトコルに従って前記第２周辺機器の第２データを取得するように前記切替器を制御し、前記第２コントローラは、前記第１通信インターフェースを制御して前記第１周辺機器が前記電源モジュールを充電するようにすると共に、前記第２通信インターフェースを制御して前記電源モジュールが前記電力を前記第２周辺機器に供給するようにする請求項１に記載のデータアクセス、伝送及び電源管理機能を有する統合電子装置。
【請求項７】
前記第１周辺機器は、ホストモードにあり、前記第２周辺機器は、デバイスモードにある請求項６に記載のデータアクセス、伝送及び電源管理機能を有する統合電子装置。
【請求項８】
前記第１周辺機器が前記第１通信インターフェースに接続され、前記第２周辺機器が前記第２通信インターフェースに接続されると、前記第１コントローラは、前記記憶手段が前記第２通信インターフェースに接続されて、前記第２周辺機器が前記第２プロトコルに従って前記記憶手段の前記第１データを読み書きするように前記切替器を制御し、前記第２コントローラは、前記第１通信インターフェースを制御して前記第１周辺機器が前記電源モジュールを充電するようにすると共に、前記第２通信インターフェースを制御して前記電源モジュールが前記電力を前記第２周辺機器に供給するようにする請求項１に記載のデータアクセス、伝送及び電源管理機能を有する統合電子装置。
【請求項９】
前記電源モジュールが前記電力を前記第２周辺機器に供給する時、前記統合電子装置はホストモードにあり、前記第２周辺機器はデバイスモードにあり、前記第２周辺機器が前記第１データを読み書きする時、前記統合電子装置はデバイスモードにあり、前記第２周辺機器はホストモードにある請求項８に記載のデータアクセス、伝送及び電源管理機能を有する統合電子装置。
【請求項１０】
前記記憶手段は、セキュアデジタルカード又はエンベデッドマルチメディアカードである請求項１に記載のデータアクセス、伝送及び電源管理機能を有する統合電子装置。
【請求項１１】
前記第１プロトコルは、ユニバーサルシリアルバス（ＵＳＢ）用の大容量記憶プロトコルである請求項１に記載のデータアクセス、伝送及び電源管理機能を有する統合電子装置。
【請求項１２】
前記第２プロトコルは、ｉＰｏｄアクセサリプロトコルである請求項１に記載のデータアクセス、伝送及び電源管理機能を有する統合電子装置。
【請求項１３】
記憶手段、電源モジュール、第１通信インターフェース、第２通信インターフェース、切替器、第１コントローラ及び第２コントローラを備えるデータアクセス、伝送及び電源管理機能を有する統合電子装置の実行方法において、
前記第１通信インターフェースに第１周辺機器が接続されたか否かを検出して、前記記憶手段及び前記電源モジュールの前記第１周辺機器に対する通信連結を決定するステップＳ１と、
前記第２通信インターフェースに第２周辺機器が接続されたか否かを検出して、前記記憶手段及び前記電源モジュールの前記第２周辺機器に対する通信連結を決定するステップＳ２と、
前記第１通信インターフェース及び前記第２通信インターフェースの検出結果に応じて、前記切替器が前記記憶手段、前記第１周辺機器及び前記第２周辺機器の３者間の連結状態を切り替えるステップＳ３と、
前記第１通信インターフェース及び前記第２通信インターフェースの検出結果に応じて、前記第２コントローラが前記電源モジュール、前記第１周辺機器及び前記第２周辺機器の３者間の充電及び電力供給状態を制御するステップＳ４と、
前記第１コントローラの制御により、前記第１周辺機器が第１プロトコルに従って対応する前記記憶手段の第１データをアクセスすることと、前記第２周辺機器が第２プロトコルに従って対応する前記記憶手段の前記第１データをアクセスすることとの少なくとも一方を行うステップＳ５と、
前記第２コントローラの制御により、前記第１周辺機器が前記電源モジュールを充電することと、前記電源モジュールが電力を前記第２周辺機器に供給することとの少なくとも一方を行うステップＳ６と、を含む
データアクセス、伝送及び電源管理機能を有する統合電子装置の実行方法。
【請求項１４】
ステップＳ５において、前記第１周辺機器が前記第１通信インターフェースに接続されると、前記第１コントローラは、前記第１周辺機器が前記第１プロトコルに従って前記記憶手段の前記第１データを読み書きするようにし、ステップＳ６において、前記第２コントローラは前記第１周辺機器を制御して前記電源モジュールを充電するようにする請求項１３に記載のデータアクセス、伝送及び電源管理機能を有する統合電子装置の実行方法。
【請求項１５】
前記第１周辺機器はホストモードにあり、前記統合電子装置はデバイスモードにある請求項１４に記載のデータアクセス、伝送及び電源管理機能を有する統合電子装置の実行方法。
【請求項１６】
ステップＳ５において、前記第２周辺機器が前記第２通信インターフェースに接続されると、前記第１コントローラは、前記第２周辺機器が前記第２プロトコルに従って前記記憶手段の前記第１データを読み書きするようにし、ステップＳ６において、前記電源モジュールを制御して前記電力を前記第２周辺機器に供給するようにする請求項１３に記載のデータアクセス、伝送及び電源管理機能を有する統合電子装置の実行方法。
【請求項１７】
前記電源モジュールが前記電力を前記第２周辺機器に供給して充電する時、前記統合電子装置はホストモードにあり、前記第２周辺機器はデバイスモードにあり、前記第２周辺機器が前記第１データを読み書きする時、前記統合電子装置はデバイスモードにあり、前記第２周辺機器はホストモードにある請求項１６に記載のデータアクセス、伝送及び電源管理機能を有する統合電子装置の実行方法。
【請求項１８】
ステップＳ５において、前記第１周辺機器が前記第１通信インターフェースに接続され、前記第２周辺機器が前記第２通信インターフェースに接続されると、前記第２コントローラは、前記第１周辺機器が前記第２プロトコルに従って前記第２周辺機器の第２データを取得するように前記切替器を制御し、ステップＳ６において、前記第２コントローラは、前記第１通信インターフェースを制御して前記第１周辺機器が前記電源モジュールを充電するようにすると共に、前記第２通信インターフェースを制御して前記電源モジュールが前記電力を前記第２周辺機器に供給するようにする請求項１３に記載のデータアクセス、伝送及び電源管理機能を有する統合電子装置の実行方法。
【請求項１９】
前記第１周辺機器はホストモードにあり、前記第２周辺機器はデバイスモードにある請求項１８に記載のデータアクセス、伝送及び電源管理機能を有する統合電子装置の実行方法。
【請求項２０】
ステップＳ５において、前記第１周辺機器が前記第１通信インターフェースに接続され、前記第２周辺機器が前記第２通信インターフェースに接続されると、前記第１コントローラは、前記記憶手段が前記第２通信インターフェースに接続されて、前記第２周辺機器が前記第２プロトコルに従って対応する前記記憶手段の前記第１データをアクセスするように前記切替器を制御し、ステップＳ６において、前記第２コントローラは、前記第１通信インターフェースを制御して前記第１周辺機器が前記電源モジュールを充電するようにすると共に、前記第２通信インターフェースを制御して前記電源モジュールが前記電力を前記第２周辺機器に供給するようにする請求項１３に記載のデータアクセス、伝送及び電源管理機能を有する統合電子装置の実行方法。
【請求項２１】
前記電源モジュールが前記電力を前記第２周辺機器に供給する時、前記統合電子装置はホストモードにあり、前記第２周辺機器はデバイスモードにあり、前記第２周辺機器が前記第１データを読み書きする時、前記統合電子装置はデバイスモードにあり、前記第２周辺機器はホストモードにある請求項２０に記載のデータアクセス、伝送及び電源管理機能を有する統合電子装置の実行方法。
【請求項２２】
前記第１プロトコルは、ユニバーサルシリアルバス（ＵＳＢ）用の大容量記憶プロトコルである請求項１３に記載のデータアクセス、伝送及び電源管理機能を有する統合電子装置の実行方法。
【請求項２３】
前記第２プロトコルは、ｉＰｏｄアクセサリプロトコルである請求項１３に記載のデータアクセス、伝送及び電源管理機能を有する統合電子装置の実行方法。
【発明の詳細な説明】
【技術分野】
【０００１】
本発明は、電子装置及びその方法に関し、特に、データアクセス、伝送及び電源管理機能を有する統合電子装置及びその方法に関する。
【背景技術】
【０００２】
情報技術の急速な発展に伴い、電子製品がますます広く普及される。例えばノート型コンピュータ、携帯電話、タブレットコンピュータ等の携帯型電子装置がどこでも見えるようになった。これらの電子装置は、携帯可能で、いつでもどこでも使用することができるという特徴を有し、各種類の電子装置同士を互いに接続して比較的大量のデータ伝送を行うため、ユニバーサルシリアルバス（Ｕｎｉｖｅｒｓａｌ  Ｓｅｒｉａｌ  Ｂｕｓ：ＵＳＢ）コネクタ（ｃｏｎｎｅｃｔｏｒ）を備える携帯型記憶装置を電子製品に差し込んで当該電子製品のメモリ記憶容量を拡張するか、又はＵＳＢ接続ポートを有する接続ケーブルで当該電子製品と他の電子製品を接続して２つの電子製品間のデータ伝送を行うことが一般的であるが、コネクタ（ｃｏｎｎｅｃｔｏｒ）（例えばＵＳＢ標準のＡタイプのコネクタ）とＵＳＢ接続ポートタイプ（例えばアップル社によって定義されたライトニングコネクタ（ｌｉｇｈｔｎｉｎｇ  ｃｏｎｎｅｃｔｏｒ）との差によって、コネクタを有する携帯型記憶装置と接続ケーブルとを簡単に統合することができなくなる。さらに、当該携帯型記憶装置が電力供給機能を有しないというだけで、ＵＳＢを有する携帯型記憶装置の適用が限られてしまう。この点を考慮して、上記の問題を改善するために、新しいタイプの電子装置の開発が依然必要である。
【発明の概要】
【発明が解決しようとする課題】
【０００３】
本発明の１つの目的は、第１コントローラ、第２コントローラ及び切替器によって、第１周辺機器と第２周辺機器との間のデータアクセス、データ伝送及び電源管理を制御し、統合電子装置の第１通信インターフェース及び第２通信インターフェースを効果的に統合して、統合電子装置のデータアクセスの利便性を高め、統合電子装置の使用の柔軟性を向上し、統合電子装置を携帯用記憶装置、伝送線及び移動式電源として機能させるデータアクセス、伝送及び電源管理機能を有する統合電子装置及びその方法を提供することである。
【課題を解決するための手段】
【０００４】
上記の目的を達成するために、本発明のデータアクセス、伝送及び電源管理機能を有する統合電子装置は、データの内容を記憶するための記憶手段と、電力を供給するための電源モジュールと、第１周辺機器が接続されたか否かを検出して、前記記憶手段及び前記電源モジュールの前記第１周辺機器に対する通信連結を決定するための第１通信インターフェースと、第２周辺機器が接続されたか否かを検出して、前記記憶手段及び前記電源モジュールの前記第２周辺機器に対する通信連結を決定するための第２通信インターフェースと、前記記憶手段、前記第１通信インターフェース及び前記第２通信インターフェースと結合して、前記記憶手段、前記第１通信インターフェース及び前記第２通信インターフェースの３者間の連結状態を切り替えるための切替器と、前記記憶手段、前記第１通信インターフェース、前記第２通信インターフェース及び前記切替器と結合して、前記切替器が前記記憶手段、前記第１通信インターフェース及び前記第２通信インターフェースの３者間の切替を実行するように制御するための第１コントローラと、前記電源モジュール、前記第１通信インターフェース、前記第２通信インターフェース及び前記切替器と結合する第２コントローラと、を備え、前記第１コントローラは、前記第１周辺機器が第１プロトコルに従って対応する前記記憶手段の第１データをアクセスするように制御することと、前記第２周辺機器が第２プロトコルに従って対応する前記記憶手段の前記第１データをアクセスするように制御することとの少なくとも一方を行い、前記第２コントローラは、前記第１周辺機器が前記電源モジュールを充電するように制御することと、前記電源モジュールが前記電力を前記第２周辺機器に供給するように制御することとの少なくとも一方を行う。
【０００５】
一実施例では、前記第１周辺機器が前記第１通信インターフェースに接続されると、前記第１コントローラは、前記記憶手段が前記第１通信インターフェースに接続されて、前記第１周辺機器が前記第１プロトコルに従って前記記憶手段の前記第１データを読み書きするように前記切替器を制御し、前記第２コントローラは、前記第１通信インターフェースを制御して前記第１周辺機器が前記電源モジュールを充電するようにする。
【０００６】
また、一実施例では、前記第１周辺機器は、ホストモードにあり、前記統合電子装置は、デバイスモードにある。
【０００７】
また、一実施例では、前記第２周辺機器が前記第２通信インターフェースに接続されると、前記第１コントローラは、前記記憶手段が前記第２通信インターフェースに接続されて、前記第２周辺機器が前記第２プロトコルに従って前記記憶手段の前記第１データを読み書きするように前記切替器を制御し、前記第２コントローラは、前記第２通信インターフェースを制御して前記電源モジュールが前記電力を前記第２周辺機器に供給するようにする。
【０００８】
また、一実施例では、前記電源モジュールが前記電力を前記第２周辺機器に供給して充電する時、前記統合電子装置はホストモードにあり、前記第２周辺機器はデバイスモードにあり、前記第２周辺機器が前記第１データを読み書きする時、前記統合電子装置はデバイスモードにあり、前記第２周辺機器はホストモードにある。
【０００９】
また、一実施例では、前記第１周辺機器が前記第１通信インターフェースに接続され、前記第２周辺機器が前記第２通信インターフェースに接続されると、前記第２コントローラは、前記第１通信インターフェースが前記第２通信インターフェースに接続されて、前記第１周辺機器が前記第２プロトコルに従って前記第２周辺機器の第２データを取得するように前記切替器を制御し、前記第２コントローラは、前記第１通信インターフェースを制御して前記第１周辺機器が前記電源モジュールを充電するようにすると共に、前記第２通信インターフェースを制御して前記電源モジュールが前記電力を前記第２周辺機器に供給するようにする。
【００１０】
また、一実施例では、前記第１周辺機器は、ホストモードにあり、前記第２周辺機器は、デバイスモードにある。
【００１１】
また、一実施例では、前記第１周辺機器が前記第１通信インターフェースに接続され、前記第２周辺機器が前記第２通信インターフェースに接続されると、前記第１コントローラは、前記記憶手段が前記第２通信インターフェースに接続されて、前記第２周辺機器が前記第２プロトコルに従って前記記憶手段の前記第１データを読み書きするように前記切替器を制御し、前記第２コントローラは、前記第１通信インターフェースを制御して前記第１周辺機器が前記電源モジュールを充電するようにすると共に、前記第２通信インターフェースを制御して前記電源モジュールが前記電力を前記第２周辺機器に供給するようにする。
【００１２】
また、一実施例では、前記電源モジュールが前記電力を前記第２周辺機器に供給する時、前記統合電子装置はホストモードにあり、前記第２周辺機器はデバイスモードにあり、前記第２周辺機器が前記第１データを読み書きする時、前記統合電子装置はデバイスモードにあり、前記第２周辺機器はホストモードにある。
【００１３】
また、一実施例では、前記記憶手段は、セキュアデジタルカード又はエンベデッドマルチメディアカードである。
【００１４】
また、一実施例では、前記第１プロトコルは、ユニバーサルシリアルバス（ＵＳＢ）用の大容量記憶プロトコルである。
【００１５】
また、一実施例では、前記第２プロトコルは、ｉＰｏｄ（登録商標）アクセサリプロトコルである。
【００１６】
本発明の記憶手段、電源モジュール、第１通信インターフェース、第２通信インターフェース、切替器、第１コントローラ及び第２コントローラを備えるデータアクセス、伝送及び電源管理機能を有する統合電子装置の実行方法は、
前記第１通信インターフェースに第１周辺機器が接続されたか否かを検出して、前記記憶手段及び前記電源モジュールの前記第１周辺機器に対する通信連結を決定するステップＳ１と、
前記第２通信インターフェースに第２周辺機器が接続されたか否かを検出して、前記記憶手段及び前記電源モジュールの前記第２周辺機器に対する通信連結を決定するステップＳ２と、
前記第１通信インターフェース及び前記第２通信インターフェースの検出結果に応じて、前記切替器が前記記憶手段、前記第１周辺機器及び前記第２周辺機器の３者間の連結状態を切り替えるステップＳ３と、
前記第１通信インターフェース及び前記第２通信インターフェースの検出結果に応じて、前記第２コントローラが前記電源モジュール、前記第１周辺機器及び前記第２周辺機器の３者間の充電及び電力供給状態を制御するステップＳ４と、
前記第１コントローラの制御により、前記第１周辺機器が第１プロトコルに従って対応する前記記憶手段の前記第１データをアクセスすることと、前記第２周辺機器が第２プロトコルに従って対応する前記記憶手段の前記第１データをアクセスすることとの少なくとも一方を行うステップＳ５と、
前記第２コントローラの制御により、前記第１周辺機器が前記電源モジュールを充電することと、前記電源モジュールが前記電力を前記第２周辺機器に供給することとの少なくとも一方を行うステップＳ６と、を含む。
【００１７】
また、一実施例では、ステップＳ５において、前記第１周辺機器が前記第１通信インターフェースに接続されると、前記第１コントローラは、前記第１周辺機器が前記第１プロトコルに従って前記記憶手段の前記第１データを読み書きするようにし、ステップＳ６において、前記第２コントローラは前記第１周辺機器を制御して前記電源モジュールを充電するようにする。
【００１８】
また、一実施例では、前記第１周辺機器はホストモードにあり、前記統合電子装置はデバイスモードにある。
【００１９】
また、一実施例では、ステップＳ５において、前記第２周辺機器が前記第２通信インターフェースに接続されると、前記第１コントローラは、前記第２周辺機器が前記第２プロトコルに従って前記記憶手段の前記第１データを読み書きするようにし、ステップＳ６において、前記電源モジュールを制御して前記電力を前記第２周辺機器に供給するようにする。
【００２０】
また、一実施例では、前記電源モジュールが前記電力を前記第２周辺機器に供給して充電する時、前記統合電子装置はホストモードにあり、前記第２周辺機器はデバイスモードにあり、前記第２周辺機器が前記第１データを読み書きする時、前記統合電子装置はデバイスモードにあり、前記第２周辺機器はホストモードにある。
【００２１】
また、一実施例では、ステップＳ５において、前記第１周辺機器が前記第１通信インターフェースに接続され、前記第２周辺機器が前記第２通信インターフェースに接続されると、前記第２コントローラは、前記第１周辺機器が前記第２プロトコルに従って前記第２周辺機器の第２データを取得するように前記切替器を制御し、ステップＳ６において、前記第２コントローラは、前記第１通信インターフェースを制御して前記第１周辺機器が前記電源モジュールを充電するようにすると共に、前記第２通信インターフェースを制御して前記電源モジュールが前記電力を前記第２周辺機器に供給するようにする。
【００２２】
また、一実施例では、前記第１周辺機器はホストモードにあり、前記第２周辺機器はデバイスモードにある。
【００２３】
また、一実施例では、ステップＳ５において、前記第１周辺機器が前記第１通信インターフェースに接続され、前記第２周辺機器が前記第２通信インターフェースに接続されると、前記第１コントローラは、前記記憶手段が前記第２通信インターフェースに接続されて、前記第２周辺機器が前記第２プロトコルに従って対応する前記記憶手段の前記第１データをアクセスするように前記切替器を制御し、ステップＳ６において、前記第２コントローラは、前記第１通信インターフェースを制御して前記第１周辺機器が前記電源モジュールを充電するようにすると共に、前記第２通信インターフェースを制御して前記電源モジュールが前記電力を前記第２周辺機器に供給するようにする。
【００２４】
また、一実施例では、前記電源モジュールが前記電力を前記第２周辺機器に供給する時、前記統合電子装置はホストモードにあり、前記第２周辺機器はデバイスモードにあり、前記第２周辺機器が前記第１データを読み書きする時、前記統合電子装置はデバイスモードにあり、前記第２周辺機器はホストモードにある。
【００２５】
また、一実施例では、前記第１プロトコルは、ユニバーサルシリアルバス（ＵＳＢ）用の大容量記憶プロトコルである。
【００２６】
また、一実施例では、前記第２プロトコルは、ｉＰｏｄアクセサリプロトコルである。
【図面の簡単な説明】
【００２７】
本発明の実施例における技術案をより明らかに説明するために、以下で実施例の説明に使用する必要図面について簡単に説明するが、以下の説明における図面は本発明のいくつかの実施例に過ぎず、本発明が属する技術分野の当業者であれば、これらの図面に基づいて他の図面を得ることができることは言うまでもない。
【図１】本発明の第１実施例によるデータアクセス、伝送及び電源管理機能を有する統合電子装置を示すブロック図である。
【図２】本発明の第２実施例によるデータアクセス、伝送及び電源管理機能を有する統合電子装置を示すブロック図である。
【図３】本発明の第３実施例によるデータアクセス、伝送及び電源管理機能を有する統合電子装置を示すブロック図である。
【図４】本発明の第４実施例によるデータアクセス、伝送及び電源管理機能を有する統合電子装置を示すブロック図である。
【図５】本発明によるデータアクセス、伝送及び電源管理機能を有する統合電子装置の実行方法の一例を示すフローチャートである。
【図６】本発明による統合電子装置と周辺機器との間でホストモードとデバイスモードを実行する変換方法の一例を示すフローチャートである。
【発明を実施するための形態】
【００２８】
図面を参照すると、同一の符号は同じ又は類似な構成要素を示し、本発明の原理は、適宜な演算環境で実施されることを例として説明する。以下の説明は、例示された本発明の具体的な実施例に基づくものであり、本発明のここで詳しく説明しなかった他の具体的実施例の制限であると解釈されるべきではない。
【００２９】
図１を参照すると、本発明の第１実施例によるデータアクセス、伝送及び電源管理機能を有する統合電子装置１０１のブロック図を示している。前記統合電子装置１０１は、記憶手段１００と、電源モジュール１０２と、第１通信インターフェース１０４ａと、第２通信インターフェース１０４ｂと、切替器１０６と、第１コントローラ１０８ａと、第２コントローラ１０８ｂとを備える。第１通信インターフェース１０４ａは、例えばＵＳＢプロトコルの標準のＡタイプの接続ポート又はＵＳＢプロトコルのマイクロ（ｍｉｃｒｏ）Ａタイプの接続ポートであり、第２通信インターフェース１０４ｂは、例えばアップル社によって定義されたＢタイプのライトニングコネクタである。
【００３０】
図１に示すように、記憶手段１００は、データの内容を記憶するためのものであり、周辺機器にこのデータの内容を読み取らせ、又はこのデータの内容を書き込むためのものでもある。一実施例において、記憶手段１００は、セキュアデジタル（ｓｅｃｕｒｅ  ｄｉｇｉｔａｌ：ＳＤ）メモリカード又はエンベデッドマルチメディアカード（ｅｍｂｅｄｄｅｄ  Ｍｕｌｔｉ  Ｍｅｄｉａ  Ｃａｒｄ：ｅＭＭＣ）である。電源モジュール１０２は、電力を供給するためのものである。前記電力は、統合電子装置１０１に供給されて稼動を維持するために必要な電力源である。或いは、前記電力は周辺機器に供給される。或いは、他の周辺機器が電源モジュール１０２を充電することもできる。
【００３１】
また、図１に示すように、第１通信インターフェース１０４ａは、第１周辺機器１１０ａが接続されたか否かを検出して、前記記憶手段１００及び前記電源モジュール１０２の前記第１周辺機器１１０ａに対する通信連結を決定するためのものである。第２通信インターフェース１０４ｂは、第２周辺機器が接続されたか否かを検出して、前記記憶手段１００及び前記電源モジュール１０２の前記第２周辺機器に対する通信連結を決定するためのものである。ここで、第２通信インターフェース１０４ｂには、第２周辺機器が接続されていない。切替器１０６は、前記記憶手段１００、前記第１通信インターフェース１０４ａ及び前記第２通信インターフェース１０４ｂと結合して、前記記憶手段１００、前記第１通信インターフェース１０４ａ及び前記第２通信インターフェース１０４ｂの３者間の連結状態を切り替えるためのものである。一実施例において、第１周辺機器１１０ａは、例えば、ノート型コンピュータ又はアンドロイド（Ａｎｄｒｏｉｄ）オペレーティングシステムを有する携帯電話である。好ましい実施例において、第１周辺機器１１０ａはホスト（ｈｏｓｔ）モードであり、統合電子装置１０１はホストモード又はデバイス（ｄｅｖｉｃｅ）モードであり、第１周辺機器１１０ａと接続されると、統合電子装置１０１はデバイスモードである。ここで、ホストモードとは、周辺機器が記憶手段１００にデータの内容のアクセスを発することができる状態、即ち、周辺機器が前記記憶手段１００に対して当該データの内容の読み書き権限を有することを言う。デバイスモードとは、前記記憶手段１００が周辺機器によりデータの内容を読み書きする状態を言う。
【００３２】
また、図１に示すように、第１コントローラ１０８ａは、前記記憶手段１００、前記第１通信インターフェース１０４ａ、前記第２通信インターフェース１０４ｂ及び前記切替器１０６と結合して、前記切替器が前記記憶手段、前記第１通信インターフェース及び前記第２通信インターフェースの３者間の切替を実行するように制御するためのものである。第２コントローラ１０８ｂは、前記電源モジュール１０２、前記第１通信インターフェース１０４ａ、前記第２通信インターフェース１０４ｂ及び前記切替器１０６と結合し、前記第１コントローラ１０８ａは、前記第１周辺機器１１０ａが第１プロトコルＰＴ１に従って対応する前記記憶手段１００の第１データ１０３ａをアクセスするようにし、前記第２コントローラ１０８ｂは、前記第１周辺機器１１０ａが前記電源モジュール１０２を充電するように制御する。
【００３３】
具体的には、図１では、前記第１周辺機器１１０ａが前記第１通信インターフェース１０４ａに接続されると、前記第１コントローラ１０８ａは、前記記憶手段１００が前記第１通信インターフェース１０４ａに接続されて、前記第１周辺機器１１０ａが前記第１プロトコルＰＴ１に従って前記記憶手段１００の第１データ１０３ａを読み取るか、又は第１データ１０３ａを記憶手段１００に書き込むように、前記切替器１０６を制御する。言い換えれば、前記第１周辺機器１１０ａはホストモードにあり、前記統合電子装置１０１はデバイスモードにある。即ち、第１周辺機器１１０ａは前記統合電子装置１０１を外接記憶装置と見なし、第１周辺機器１１０ａが前記統合電子装置１０１の記憶手段１００を直接アクセスするようにする。前記第１プロトコルＰＴ１は、例えば、ユニバーサルシリアルバス（ＵＳＢ）用の大容量記憶プロトコル（ｍａｓｓ  ｓｔｏｒａｇｅ  ｃｌａｓｓ：ＭＳＣ）である。同時に、前記第１周辺機器１１０ａが前記第１通信インターフェース１０４ａに接続されると、前記第２コントローラ１０８ｂは、前記第１通信インターフェース１０４ａを制御して前記第１周辺機器１１０ａが前記電源モジュール１０２を充電するようにする。即ち、第１周辺機器１１０ａは統合電子装置１０１の電源モジュール１０２の充電電源として機能する。
【００３４】
図２を参照すると、本発明の第２実施例によるデータアクセス、伝送及び電源管理機能を有する統合電子装置１０１のブロック図を示している。前記第２周辺機器１１０ｂが前記第２通信インターフェース１０４ｂに接続されると、前記第１コントローラ１０８ａは、前記記憶手段１００が前記第２通信インターフェース１０４ｂに接続されて、前記第２周辺機器１１０ｂが前記第２プロトコルＰＴ１に従って前記記憶手段１００の第１データ１０３ａを読み取るか、又は第１データ１０３ａを記憶手段１００に書き込むように前記切替器１０６を制御する。一実施例において、前記第２プロトコルＰＴ１は、例えば、アップル社によって定義されたｉＰｏｄアクセサリプロトコル（ｉＰｏｄ  ａｃｃｅｓｓｏｒｙ  ｐｒｏｔｏｃｏｌ：ｉＡＰ）である。同時に、前記第２周辺機器１１０ｂが前記第２通信インターフェース１０４ｂに接続されると、前記第２コントローラ１０８ｂは、前記第２通信インターフェース１０４ｂを制御して前記電源モジュール１０２が前記電力を前記第２周辺機器１１０ｂに供給するようにし、統合電子装置１０１は前記第２周辺機器１１０ｂの電力供給電源として機能する。第２実施例の統合電子装置１０１において、第１通信インターフェース１０４ａは第１周辺機器と接続されていない。
【００３５】
具体的には、図２では、前記電源モジュール１０２が前記電力を前記第２周辺機器１１０ｂに供給して充電する時、前記統合電子装置１０１はホストモードにあり、前記第２周辺機器１１０ｂはデバイスモードにある。また、前記第２周辺機器１１０ｂが前記第１データ１０３ａを読み書きする時、前記統合電子装置１０１はホストモードからデバイスモードに変換し、前記第２周辺機器１１０ｂはデバイスモードからホストモードに変換する。その時、第２周辺機器１１０ｂは統合電子装置１０１を外接記憶装置と見なし、第２周辺機器１１０ｂが前記統合電子装置１０１の記憶手段１００を直接アクセスするようにする。一実施例において、第２周辺機器１１０ｂは、例えば、アップル社のｉＰｈｏｎｅ(登録商標)携帯電話又はｉＰＡＤタブレットコンピュータであるが、これらに限定されず、例えば、第２プロトコルＰＴ１に該当する任意のｉＰｏｄアクセサリプロトコルの周辺機器である。
【００３６】
図３を参照すると、本発明の第３実施例によるデータアクセス、伝送及び電源管理機能を有する統合電子装置１０１のブロック図を示している。前記第１周辺機器１１０ａが前記第１通信インターフェース１０４ａに接続され、前記第２周辺機器１１０ｂが前記第２通信インターフェース１０４ｂに接続されると、前記第２コントローラ１０８ｂは、前記第１通信インターフェース１０４ａが前記第２通信インターフェース１０４ｂに接続されて、前記第１周辺機器１１０ａが前記第２プロトコルＰＴ１に従って前記第２周辺機器１１０ｂの第２データ１０３ｂを取得するように前記切替器１０６を制御する。同時に、前記第１周辺機器１１０ａが前記第１通信インターフェース１０４ａに接続され、前記第２周辺機器１１０ｂが前記第２通信インターフェース１０４ｂに接続されると、前記第２コントローラ１０８ｂは、前記第１通信インターフェース１０４ａを制御して前記第１周辺機器１１０ａが前記電源モジュール１０２を充電するようにし、前記第２コントローラ１０８ｂは、前記第２通信インターフェース１０４ｂを制御して前記電源モジュール１０２が前記電力を前記第２周辺機器１１０ｂに供給するようにする。即ち、第１周辺機器１１０ａは統合電子装置１０１の電源モジュール１０２の充電電源として機能し、さらに、統合電子装置１０１は前記第２周辺機器１１０ｂの電力供給電源として機能する。第３実施例の統合電子装置１０１において、第１通信インターフェース１０４ａは第１周辺機器１１０ａに接続され、第２通信インターフェース１０４ｂは第２周辺機器１１０ｂに接続される。
【００３７】
具体的には、前記第１周辺機器１１０ａはホストモードにあり、前記第２周辺機器１１０ｂはデバイスモードにある。即ち、第１周辺機器１１０ａは前記第２周辺機器１１０ｂを外接記憶装置と見なし、第１周辺機器１１０ａが前記第２周辺機器１１０ｂのデータの内容を同期に伝送するようにする。一実施例において、第１周辺機器１１０ａは前記第２プロトコルＰＴ１であるｉＰｏｄアクセサリプロトコル（ｉＰｏｄ  ａｃｃｅｓｓｏｒｙ  ｐｒｏｔｏｃｏｌ：ｉＡＰ）に従って統合電子装置１０１を介して前記第２周辺機器１１０ｂの第２データ１０３ｂをコピーする。言い換えれば、本発明の統合電子装置１０１はデータ伝送線の機能を有する。
【００３８】
図４を参照すると、本発明の第４実施例によるデータアクセス、伝送及び電源管理機能を有する統合電子装置１０１のブロック図を示している。前記第１周辺機器１１０ａが前記第１通信インターフェース１０４ａに接続され、前記第２周辺機器１１０ｂが前記第２通信インターフェース１０４ｂに接続されると、前記第１コントローラ１０８ａは、前記記憶手段１００が前記第２通信インターフェース１０４ｂに接続されて、前記第２周辺機器１１０ｂが前記第２プロトコルＰＴ１に従って前記記憶手段１００の第１データ１０３ａを読み取るか、又は第１データ１０３ａを記憶手段１００に書き込むように、前記切替器１０６を制御する。一実施例において、前記第２プロトコルＰＴ１は、例えば、ｉＰｏｄアクセサリプロトコル（ｉＡＰ）である。同時に、前記第１周辺機器１１０ａが前記第１通信インターフェース１０４ａに接続され、前記第２周辺機器１１０ｂが前記第２通信インターフェース１０４ｂに接続されると、前記第２コントローラ１０８ｂは、前記第１通信インターフェース１０４ａを制御して前記第１周辺機器１１０ａが前記電源モジュール１０２を充電するようにする。即ち、第１周辺機器１１０ａは統合電子装置１０１の電源モジュール１０２の充電電源として機能する。第１周辺機器１１０ａは、例えば、ノート型コンピュータ又は外接電源が接続された電源アダプタ（ｐｏｗｅｒ  ａｄａｐｔｅｒ）１１２である。そして、前記第２コントローラ１０８ｂは、前記第２通信インターフェース１０４ｂを制御して前記電源モジュール１０２が前記電力を前記第２周辺機器１１０ｂに供給するようにする。即ち、統合電子装置１０１は前記第２周辺機器１１０ｂの電力供給電源として機能する。第４実施例の統合電子装置１０１において、第１通信インターフェース１０４ａは第１周辺機器１１０ａに接続され、第２通信インターフェース１０４ｂは第２周辺機器１１０ｂに接続される。
【００３９】
具体的には、前記電源モジュール１０２が前記電力を前記第２周辺機器１１０ｂに供給する時、前記統合電子装置１０１はホストモードにあり、前記第２周辺機器１１０ｂはデバイスモードにある。しかし、前記第２周辺機器１１０ｂが前記第１データ１０３ａを読み書きする時、前記統合電子装置１０１はホストモードからデバイスモードに変換し、前記第２周辺機器１１０ｂはデバイスモードからホストモードに変換する。その時、第２周辺機器１１０ｂは統合電子装置１０１を外接記憶装置と見なし、第２周辺機器１１０ｂが前記統合電子装置１０１の記憶手段１００を直接アクセスするようにする。一実施例において、第２周辺機器１１０ｂは、例えば、アップル社の所有しているｉＰｏｄアクセサリプロトコル（ｉＡＰ）のｉＰｈｏｎｅ携帯電話又はｉＰＡＤタブレットコンピュータであり、その時、統合電子装置１０１がデバイスモードであると、第２周辺機器１１０ｂの記憶装置として機能し、統合電子装置１０１がホストモードであると、第２周辺機器１１０ｂの電力供給電源として機能する。他の実施例において、第２周辺機器１１０ｂは、例えば、アンドロイド（Ａｎｄｒｏｉｄ）オペレーティングシステムの携帯電話であり、その時、統合電子装置１０１は電力供給電源としてのみ機能する。
【００４０】
図１乃至図５を参照すると、図５は本発明のデータアクセス、伝送及び電源管理機能を有する統合電子装置１０１の実行方法の一例を示すフローチャートである。前記統合電子装置１０１は、記憶手段１００と、電源モジュール１０２と、第１通信インターフェース１０４ａと、第２通信インターフェース１０４ｂと、切替器１０６と、第１コントローラ１０８ａと、第２コントローラ１０８ｂとを備え、当該実行方法は、次のステップを含んでいる。
【００４１】
ステップＳ１では、前記第１通信インターフェース１０４ａに第１周辺機器１１０ａが接続されたか否かを検出して、前記記憶手段１００及び前記電源モジュール１０２の前記第１周辺機器１１０ａに対する通信連結を決定する。
【００４２】
ステップＳ２では、前記第２通信インターフェース１０４ｂに第２周辺機器１１０ｂが接続されたか否かを検出して、前記記憶手段１００及び前記電源モジュール１０２の前記第２周辺機器１１０ｂに対する通信連結を決定する。
【００４３】
ステップＳ３では、前記第１通信インターフェース１０４ａ及び前記第２通信インターフェース１０４ｂの検出結果に応じて、前記切替器１０６が前記記憶手段１００、前記第１周辺機器１１０ａ及び前記第２周辺機器１１０ｂの３者間の連結状態を切り替える。
【００４４】
ステップＳ４では、前記第１通信インターフェース１０４ａ及び前記第２通信インターフェース１０４ｂの検出結果に応じて、前記第２コントローラ１０８ｂが前記電源モジュール１０２、前記第１周辺機器１１０ａ及び前記第２周辺機器１１０ｂの３者間の充電及び電力供給状態を制御する。
【００４５】
ステップＳ５では、前記第１コントローラ１０８ａの制御により、前記第１周辺機器１１０ａが第１プロトコルＰＴ１に従って対応する前記記憶手段１００の前記第１データ１０３ａをアクセスすることと、前記第２周辺機器１１０ｂが第２プロトコルＰＴ１に従って対応する前記記憶手段１００の前記第１データ１０３ａをアクセスすることとの少なくとも一方を行う。
【００４６】
ステップＳ６では、前記第２コントローラ１０８ｂの制御により、前記第１周辺機器１１０ａが前記電源モジュール１０２を充電することと、前記電源モジュール１０２が前記電力を前記第２周辺機器１１０ｂに供給することとの少なくとも一方を行う。一実施例において、前記第１プロトコルＰＴ１はユニバーサルシリアルバス（ＵＳＢ）用の大容量記憶プロトコルであり、前記第２プロトコルＰＴ１はｉＰｏｄアクセサリプロトコルである。
【００４７】
図１及び図５に示すように、ステップＳ５において、前記第１周辺機器が前記第１通信インターフェース１０４ａに接続されると、前記第１コントローラ１０８ａは、前記第１周辺機器１１０ａが前記第１プロトコルＰＴ１に従って前記記憶手段１００の前記第１データ１０３ａを読み書きするようにし、ステップＳ６において、前記第２コントローラ１０８ｂは前記第１周辺機器１１０ａを制御して前記電源モジュール１０２を充電するようにする。ただし、前記第１周辺機器１１０ａはホストモードにあり、前記統合電子装置１０１はデバイスモードにある。
【００４８】
図２及び図５に示すように、ステップＳ５において、前記第２周辺機器が前記第２通信インターフェース１０４ｂに接続されると、前記第１コントローラ１０８ａは、前記第２周辺機器１１０ｂが前記第２プロトコルＰＴ１に従って前記記憶手段１００の前記第１データ１０３ａを読み書きするようにし、ステップＳ６において、前記電源モジュール１０２を制御して前記電力を前記第２周辺機器１１０ｂに供給するようにする。前記電源モジュール１０２が前記電力を前記第２周辺機器１１０ｂに供給して充電する時、前記統合電子装置１０１はホストモードにあり、前記第２周辺機器１１０ｂはデバイスモードにあり、前記第２周辺機器１１０ｂが前記第１データ１０３ａを読み書きする時、前記統合電子装置１０１はデバイスモードにあり、前記第２周辺機器１１０ｂはホストモードにある。
【００４９】
図３及び図５に示すように、ステップＳ５において、前記第１周辺機器が前記第１通信インターフェース１０４ａに接続され、前記第２周辺機器が前記第２通信インターフェース１０４ｂに接続されると、前記第２コントローラ１０８ｂは、前記第１周辺機器１１０ａが前記第２プロトコルＰＴ１に従って前記第２周辺機器１１０ｂの第２データ１０３ｂを取得するように前記切替器１０６を制御し、ステップＳ６において、前記第２コントローラ１０８ｂは、前記第１通信インターフェース１０４ａを制御して前記第１周辺機器１１０ａが前記電源モジュール１０２を充電するようにすると共に、前記第２通信インターフェース１０４ｂを制御して前記電源モジュール１０２が前記電力を前記第２周辺機器１１０ｂに供給するようにする。前記第１周辺機器１１０ａはホストモードにあり、前記第２周辺機器１１０ｂはデバイスモードにある。
【００５０】
図４及び図５に示すように、ステップＳ５において、前記第１周辺機器が前記第１通信インターフェース１０４ａに接続され、前記第２周辺機器が前記第２通信インターフェース１０４ｂに接続されると、前記第１コントローラ１０８ａは、前記記憶手段１００が前記第２通信インターフェース１０４ｂに接続されて、前記第２周辺機器１１０ｂが前記第２プロトコルＰＴ１に従って対応する前記記憶手段１００の前記第１データ１０３ａをアクセスするように前記切替器１０６を制御し、ステップＳ６において、前記第２コントローラ１０８ｂは、前記第１通信インターフェース１０４ａを制御して前記第１周辺機器１１０ａが前記電源モジュール１０２を充電するようにすると共に、前記第２通信インターフェース１０４ｂを制御して前記電源モジュール１０２が前記電力を前記第２周辺機器１１０ｂに供給するようにする。前記電源モジュール１０２が前記電力を前記第２周辺機器１１０ｂに供給する時、前記統合電子装置１０１はホストモードにあり、前記第２周辺機器１１０ｂはデバイスモードにあり、前記第２周辺機器１１０ｂが前記第１データ１０３ａを読み書きする時、前記統合電子装置１０１はデバイスモードにあり、前記第２周辺機器１１０ｂはホストモードにある。
【００５１】
図２、図４及び図６を参照すると、図６は本発明の統合電子装置１０１と周辺機器との間でホストモードとデバイスモードの切替方法を実行する一例を示すフローチャートである。前記統合電子装置１０１は、記憶手段１００と、電源モジュール１０２と、第１通信インターフェース１０４ａと、第２通信インターフェース１０４ｂと、切替器１０６と、第１コントローラ１０８ａと、第２コントローラ１０８ｂとを備え、当該変換方法は、次のステップを含む。
【００５２】
ステップＳ１０では、第１コントローラ１０８ａが前記第２通信インターフェースの第２周辺機器を検出して取り挙げる。
【００５３】
ステップＳ１２では、第１コントローラ１０８ａは、前記第２周辺機器１１０ｂがｉＡＰアクセサリプロトコルに該当する周辺機器であるか否かを判断し、該当すると、ステップＳ１４を実行する。該当しないと、ステップＳ２２を実行する。
【００５４】
ステップＳ１４では、第１コントローラ１０８ａがモードの切替命令（ｒｏｌｅ  ｓｗｉｔｃｈ）を第２周辺機器１１０ｂに発する。切替命令は、例えば、ＵＳＢカスタム・ベンダ・リクエスト（ＵＳＢ  ｃｕｓｔｏｍ  ｖｅｎｄｏｒ  ｒｅｑｕｅｓｔ）命令である。
【００５５】
ステップＳ１６では、第２周辺機器１１０ｂは、自身が切替命令をサポートするか否かを判断し、サポートする場合は、ステップＳ１８を実行し、サポートしない場合は、ステップＳ２２を実行する。
【００５６】
ステップＳ１８では、第２周辺機器１１０ｂは接続の断ち切り（ｄｉｓｃｏｎｎｅｃｔ）を実行し、第２周辺機器１１０ｂはデバイスモードからホストモードに変換する。
【００５７】
ステップＳ２０では、第１コントローラ１０８ａはホストモードからデバイスモードに変換する。
【００５８】
ステップＳ２２では、統合電子装置１０１はホストモードに維持される。
【００５９】
以上より、本発明のデータアクセス、伝送及び電源管理機能を有する統合電子装置１０１及びその方法は、第１コントローラ、第２コントローラ及び切替器によって、第１周辺機器と第２周辺機器との間のデータアクセス、データ伝送及び電源管理を制御して、統合電子装置１０１の第１通信インターフェース及び第２通信インターフェースを統合し、記憶装置の適用範囲を拡大し、記憶装置の使用の柔軟性を向上させる。
【００６０】
なお、上記のように好ましい実施例により本発明を説明したが、これは本発明を限定するためのものではない。本発明が属する技術分野の当業者であれば、本発明の主旨及び範囲から逸脱することなく、種々の変更と修正を行うことができるため、本発明の保護範囲は添付する特許請求の範囲によって限定される。
【符号の説明】
【００６１】
１００…記憶手段
１０１…統合電子装置
１０２…電源モジュール
１０３ａ…第１データ
１０３ｂ…第２データ
１０４ａ…第１通信インターフェース
１０４ｂ…第２通信インターフェース
１０６…切替器
１０８ａ…第１コントローラ
１０８ｂ…第２コントローラ
１１０ａ…第１周辺機器
１１０ｂ…第２周辺機器
１１２…電源アダプタ
ＰＴ１…第１プロトコル
ＰＴ２…第２プロトコル
Ｓ１〜Ｓ６…ステップ
Ｓ１０、Ｓ１２、Ｓ１４、Ｓ１６、Ｓ１８、Ｓ２０、Ｓ２２…ステップ
【図１】
2020191072.tif 000003
【図２】
2020191072.tif 000004
【図３】
2020191072.tif 000005
【図４】
2020191072.tif 000006
【図５】
2020191072.tif 000007
【図６】
2020191072.tif 000008